(57)【要約】【課題】歯科治療において使用する無影灯に近紫外線の光を照射する機能を設け、この近紫外線の光を歯牙等に照射し、この照射光を励起光として、歯牙等が発生する蛍光を観察することにより、歯牙等のう触、歯石、歯垢、歯質の変化等の観察を容易にする。【解決手段】無影灯１０は、光源として近紫外線に近い波長の光及び／又は白色の光を照射することができる。近紫外線光源からの光を歯牙に照射した時に、該近紫外線を励起光として歯牙より発した特定波長の蛍光より、歯石、歯垢、歯質変化の蛍光観察を行うことができる。撮像素子１１は、歯牙より発生した蛍光に部位を撮影して、モニタ２０に表示する。【選択図】図１
2007130333.tif 000002
【特許請求の範囲】
【請求項１】
歯科治療に用いる無影灯であって、該無影灯は、近紫外線に近い波長の光及び／又は白色光源を照射可能であり、近紫外線の光を照射した時に、該近紫外線を励起光として被照射体より発光した特定波長の蛍光より、歯石、歯垢、歯質変化等の蛍光観察を行うようにしたことを特徴とする歯科用無影灯。
【請求項２】
前記近紫外線の波長は４０５ｎｍ、又は、４２０ｎｍであることを特徴とする請求項１に記載の歯科用無影灯。
【請求項３】
前記近紫外線の光源はＬＥＤであり、白色光の光源はハロゲンランプであることを特徴とする請求項１又は２に記載の歯科用無影灯。
【請求項４】
光源として白色光源を用いた場合は、前記白色光源の前に、近紫外線の光を透過する投光フィルタを着脱自在に有することを特徴とする請求項３に記載の歯科用無影灯。
【請求項５】
前記無影灯の中央部に、観察画像を出力する撮像素子が組み込まれていることを特徴とする請求項１乃至４のいずれかに記載の歯科用無影灯。
【請求項６】
前記撮像素子の前面には、前記特定波長の光のみを通す受光用フィルタを着脱自在に有することを特徴とする請求項５に記載の歯科用無影灯。
【請求項７】
前記特定波長は、被照射体から発生される蛍光の波長であることを特徴とする請求項６に記載の歯科用無影灯。
【請求項８】
前記受光用フィルタは、使用する光源の波長に応じて、通過帯域の異なるものに変更可能であることを特徴とする請求項６又は７に記載の歯科用無影灯。
【請求項９】
前記撮像素子の出力画像は、無線又は有線にてＰＣに伝送され、撮像した画像をモニタに出力することを特徴とする請求項５乃至８のいずれかに記載の歯科用無影灯。
【請求項１０】
前記撮像素子による静止画像の取り込みはフットスイッチによって行われることを特徴とする請求項５乃至９のいずれかに記載の歯科用無影灯。
【請求項１１】
前記モニタはヘッドマウントディスプレイであることを特徴とする請求項９に記載の歯科用無影灯。
【請求項１２】
無影灯に蛍光観察機能を設け、被照射体から発生される蛍光を観察可能としたことを特徴とする請求項１乃至１１のいずれかに記載の歯科用無影灯。
【請求項１３】
前記特定波長の光のみを通す受光用フィルタを備えたメガネを有し、該メガネを通して被照射体からの蛍光を観測するようにしたことを特徴とする請求項１乃至１２のいずれかに記載の歯科用無影灯。
【発明の詳細な説明】
【技術分野】
【０００１】
本発明は、歯科治療等において、患者の口腔内等を照明するための歯科用の無影灯に関し、より詳細には、無影灯に、近紫外線の光を発生する手段を設け、この近紫外線の光を歯牙等に照射した時に、該光を励起光として歯牙（被照射体）から発生する蛍光から、歯牙のう触、歯石、歯垢、歯質変化等の蛍光観察を行うようにしたものである。
【背景技術】
【０００２】
図２は、本発明が適用される一例としての無影灯を備えた歯科治療ユニットの一例を説明するための要部概略構成図で、該歯科治療ユニットは、治療椅子１，ワークテーブル２，スピットン３，無影灯４，インスツルメントホルダ５，フットスイッチ６，アシスタントインスツルメントホルダ７，ハンドピース（インスツルメント）８，インスツルメントホース９等から成り、インスツルメントホルダ５には、歯科治療において使用する種々のハンドピース、例えば、エアータービン、マイクロエンジン、超音波スケーラ、マルチシリンジ等のハンドピース８が収納されており、周知のように、歯科治療に当り、患者は椅子１に座り、頭を安頭台に固定して治療を受ける。術者は治療椅子１を上下動，倒起動，傾斜動等させて、患者を治療しやすい姿勢にして治療を行うが、その際、術者は、無影灯４を用いて治療作業開始前に患者の口腔内を照明して被治療部位の観察を行ったり、治療作業中に作業手元を照明したり、治療作業終了後に治療後の状態を確認する等している。
【０００３】
一方、最近の歯科治療においては、歯牙に近紫外線を照射し、該照射光を励起光として、歯牙（被照射体）から発生される光（蛍光）を観察することによって、う触、歯石、歯垢、歯質の変化（場所的変化）等を観察することが行われている。
【発明の開示】
【発明が解決しようとする課題】
【０００４】
歯科治療において使用する無影灯に近紫外線の光を照射する機能を設け、この近紫外線の光を歯牙等に照射し、この照射光を励起光として、歯牙等が発生する蛍光を観察することにより、歯牙のう触、歯石、歯垢、歯質の変化等の観察を容易に行えるようにする。
【課題を解決するための手段】
【０００５】
請求項１の発明は、歯科治療に用いる無影灯であって、該無影灯は、近紫外線に近い波長の光及び／又は白色光源を照射可能であり、近紫外線の光を照射した時に、該近紫外線を励起光として被照射体より発光した特定波長の蛍光より、歯石、歯垢、歯質変化等の蛍光観察を行うようにしたことを特徴としたものである。
【０００６】
請求項２の発明は、請求項１の発明において、前記近紫外線の波長は４０５ｎｍ、又は、４２０ｎｍであることを特徴としたものである。
【０００７】
請求項３の発明は、請求項１又は２の発明において、前記近紫外線の光源はＬＥＤであり、白色光の光源はハロゲンランプであることを特徴としたものである。
【０００８】
請求項４の発明は、請求項３の発明において、光源として白色光源を用いた場合は、前記白色光源の前に、近紫外線の光を透過する投光フィルタを着脱自在に有することを特徴としたものである。
【０００９】
請求項５の発明は、請求項１乃至４のいずれかの発明において、前記無影灯の中央部に、観察画像を出力する撮像素子が組み込まれていることを特徴としたものである。
【００１０】
請求項６の発明は、請求項５の発明において、前記撮像素子の前面には、前記特定波長の光のみを通す受光用フィルタを着脱自在に有することを特徴としたものである。
【００１１】
請求項７の発明は、請求項６の発明において、前記特定波長は、被照射体から発生される蛍光の波長であることを特徴としたものである。
【００１２】
請求項８の発明は、請求項６又は７の発明において、前記受光用フィルタは、使用する光源の波長に応じて、通過帯域の異なるものに変更可能であることを特徴としたものである。
【００１３】
請求項９の発明は、請求項５乃至８のいずれかの発明において、前記撮像素子の出力画像は、無線又は有線にてＰＣに伝送され、撮像した画像をモニタに出力することを特徴としたものである。
【００１４】
請求項１０の発明は、請求項５乃至９のいずれかの発明において、前記撮像素子による静止画像の取り込みはフットスイッチによって行われることを特徴としたものである。
【００１５】
請求項１１の発明は、請求項９の発明において、前記モニタはヘッドマウントディスプレイであることを特徴としたものである。
【００１６】
請求項１２の発明は、請求項１乃至１１のいずれかの発明において、無影灯に蛍光観察機能を設け、被照射体から発生される蛍光を観察可能としたことを特徴としたものである。
【００１７】
請求項１３の発明は、請求項１乃至１２のいずれかの発明において、前記特定波長の光のみを通す受光用フィルタを備えたメガネを有し、該メガネを通して被照射体からの蛍光を観測するようにしたことを特徴としたものである。
【発明の効果】
【００１８】
無影灯１０は、近紫外線に近い波長の光及び／又は白色の光を照射し、近紫外線の光を歯牙に照射した時に、該近紫外線を励起光として歯牙より発光した蛍光を観察するようにしたので、より簡単に、歯石、歯垢、歯質変化等を観測することができる。また、歯牙より発光した蛍光を撮像素子１１に撮像してモニタ２０にて表示するようにしたので、より容易に観測することができる。
【発明を実施するための最良の形態】
【００１９】
図１は、本発明が適用された無影灯の一実施例を説明するための要部概略構成図で、図中、１０は無影灯（図１に示した無影灯４に相当）、２０はモニタで、図示例の場合、モニタ２０は無影灯１０と一体的に移動するように取り付けられているが、必ずしも、一体である必要はない。
【００２０】
無影灯１０には、ハロゲンランプ等の白色光を発生する光源、及び、４０５ｎｍ，４２０ｎｍ等の近紫外線の光を発生するＬＥＤ等の光源が備えられているが、４０５ｎｍ，４２０ｎｍ等の波長のみを通過させる投光用のフィルタを用いた時は、ハロゲンランプのみを使用し、この投光用のフィルタを通すことによって、近紫外線の光を投光するようにしてもよい。また、近紫外線を発生する光源のみを点灯したり、近紫外線のみを発光する光源と白色光を発生する光源と同時に点灯したり、白色光を発生する光源のみを点灯する等、光源を選択的に切り換えることができる。
【００２１】
無影灯１０の中央部は、観察用の撮像素子１１を装着できるようになっており、該撮像素子１１を用いて撮影した画像は、モニタ２０上に表示できるようになっている。この場合、撮像素子１１の前に特定波長の蛍光（被照射体によって発生される蛍光）のみを通過させる受光用フィルタを設けるようにしておけば、特定波長以外の光がカットされ、Ｓ／Ｎを向上させることができる。なお、受光用のフィルタは、使用する光源波長に応じてローパスフィルタ、ハイパスフィルタ、バンドパスフィルタに選択及び交換が可能であってもよい。
【００２２】
撮像素子１１はケーブル又は無線によりＰＣに接続され、画像をモニタ２０上に表示する。撮像素子１１による静止画の取り込みは、フットスイッチ６によって行われ、ケーブル又は無線にて取り込まれる。
【００２３】
更に、特定波長の光のみを通す受光用フィルタを備えたメガネを用いれば、該メガネを通して被照射体を直接見ることができ、目視にて観察することが可能になる。
【００２４】
更には、モニタとして、ヘッドマウントディスプレイ（ＨＭＤ）を用いるようにすれば、このＨＭＤを用いて、患者も画像を見ることができ、自分の歯の状態を知ることができる。
【００２５】
本発明によると、無影灯に、蛍光観察機能を設けたので、う触、歯石、歯垢等の有無を確認しながら口腔内のクリーニングを行うことができ、従来より用いている染色液を用いることなく、歯垢等の有無をモニタ画面で確認することができる。
【図面の簡単な説明】
【００２６】
【図１】本発明による無影灯の一実施例を説明するための図である。
【図２】本発明が適用される無影灯を備えた歯科治療ユニットの一例を説明するための全体構成図である。
【符号の説明】
【００２７】
１０…無影灯、１１…撮像素子、２０…モニタ。
【図１】
2007130333.tif 000003
【図２】
2007130333.tif 000004